(57)【要約】【課題】信号伝送に特徴を有する医療機器システムを提供する。【解決手段】観察部位を撮像する撮像素子を有する医療機器システムは、前記撮像素子によって生成された映像信号を所定のビット数ごとに交流化する第１の交流化手段と、前記第１の交流化手段とは異なるビット数ごとに同期信号を交流化する第２の交流化手段と、前記第１の交流化手段によって交流化された映像信号と、前記第２の交流化手段によって交流化された同期信号とを重畳された信号とする重畳手段と、前記重畳された信号を伝送する伝送手段と、前記伝送手段によって伝送された前記重畳された信号から前記同期信号を検出する同期信号検出手段とからなる映像信号伝送手段を具備する。【選択図】    図２
2010119461.tif 000002
【特許請求の範囲】
【請求項１】
観察部位を撮像する撮像素子を有する医療機器システムであって、
前記撮像素子によって生成された映像信号を所定のビット数ごとに交流化する第１の交流化手段と、
前記第１の交流化手段とは異なるビット数ごとに同期信号を交流化する第２の交流化手段と、
前記第１の交流化手段によって交流化された映像信号と、前記第２の交流化手段によって交流化された同期信号とを重畳された信号とする重畳手段と、
前記重畳された信号を伝送する伝送手段と、
前記伝送手段によって伝送された前記重畳された信号から前記同期信号を検出する同期信号検出手段と、
からなる映像信号伝送手段を具備する医療機器システム。
【請求項２】
前記伝送手段は、無線、光伝送、静電誘導および電磁誘導のいずれかにより、前記重畳された信号を絶縁して伝送する絶縁伝送手段である請求項１に記載の医療機器システム。
【請求項３】
前記同期信号検出手段は、前記第２の交流手段により前記映像信号とは異なるビット数ごとに変換された信号を検出することにより、前記重畳信号を変換せずに前記同期信号を検出する請求項１または２に記載の医療機器システム。
【請求項４】
前記第１の交流手段によるビット数ごとに交流化するビット数は、前記第２の交流手段によるビット数ごとに交流化するビット数よりも少ない請求項１乃至３のいずれかに記載の医療機器システム。
【発明の詳細な説明】
【技術分野】
【０００１】
本発明は、医療機器システムおよび電子内視鏡装置、更に詳しくは患者回路と二次回路との信号伝送に特徴を有する医療機器システムおよび電子内視鏡装置に関する。
【背景技術】
【０００２】
一般的に、電子内視鏡装置は、体腔内に挿入する細長の挿入部を有し、体腔内の観察部位の撮像信号を生成するイメージセンサーである撮像素子（例えばＣＣＤ等の個体撮像素子）を先端部に設けたスコープと、このスコープの駆動制御のための同期信号および撮像素子によって撮影された撮像信号から所望の映像信号を生成する内視鏡制御装置とを具備する医療機器システムである。ここでスコープの細長の挿入部は観察のため患者体腔内に挿入される部分であり、電気回路の一部であるイメージセンサーやケーブルも患者体腔内に挿入されるので、患者を安全に処置するために患者回路と呼ばれる患者に触れる可能性がある電気回路は、内視鏡制御装置側の商用電源側回路や映像信号処理回路等（二次回路）との間で信号の伝送をする場合は、電気的な絶縁を設ける必要がある。
【０００３】
患者回路と二次回路との絶縁構成は、映像信号処理回路前段にイメージセンサーからの映像信号を絶縁伝送する絶縁回路を構成して、患者回路と二次回路との絶縁構成を保っている。しかし映像信号処理回路の電源回路がスイッチング電源だったり、電子内視鏡装置と電気メスとが組み合わされて使用される場合では、スイッチング電源が発生する放射ノイズや伝導ノイズ、または、電気メスの出力時の放射ノイズが外来ノイズとして映像信号に影響を与えてしまう。
【０００４】
すなわち外来ノイズの影響を受けると患者回路にはコモンモードノイズが発生し、二次回路のグランド（接地電位）から見ると患者回路のグランドは電位が変動している状態となり、そのような状態で患者回路のアナログ映像信号を二次回路へ絶縁伝送すると、コモンモードノイズが含まれたアナログ映像信号となる。
【０００５】
一般的に、アナログ映像信号は、ノイズの重畳に弱くアナログ映像信号にノイズが重畳した場合、外部機器へ出力された画像は著しくノイズに埋もれた画像となってしまう。そこでイメージセンサーからの出力信号を処理し、Ａ／Ｄ変換した後に患者回路から二次回路へ絶縁伝送する方法が用いられている。
【０００６】
従来の絶縁回路の第一例を図５を用いて説明する。図５には、スコープ１１０、ビデオプロセッサ１２０、および外部機器１３０を具備している電子内視鏡装置１００をに示す。スコープ１１０は、その挿入部１１１の先端にイメージセンサー１１２を具備している。このイメージセンサー１１２の映像信号は、ＡＦＥ（アナログフロントエンド）１２１を介しＡ／Ｄ回路１２２によりＡ／Ｄ変換（アナログデジタル変換）される。Ａ／Ｄ変換された映像信号は、患者回路から二次回路へ絶縁回路１２３によって絶縁伝送される。二次回路において絶縁伝送後の映像信号の処理のために、映像信号処理回路１２４が必要となる。さらに、患者回路と二次回路との同期をとる必要があるために、同期回路であるタイミングジェネレータ（ＴＧ）１２５によって同期信号を生成する。タイミングジェネレータ１２５によって生成された同期信号は、絶縁回路１２３内の同期信号絶縁伝送手段に伝送される。タイミングジェネレータ１２５は、さらに同期信号に応じた駆動信号をイメージセンサー駆動回路１２６に伝送し、イメージセンサー１１２を駆動する。
【０００７】
従来の絶縁回路の第一例を図６に示す。図６の絶縁回路１は、映像信号をＡ／Ｄ変換による交流化手段によりデジタル化され、映像信号の絶縁伝送手段へ送られる。同様に、同期信号は、同期信号の絶縁伝送手段に送られる。
【０００８】
特許文献１には、Ａ／Ｄ変換されたＲ（赤），Ｇ（緑），Ｂ（青）等の画像信号をパラレル／シリアル変換器によって１ビットのシリアル信号に変換され、その後、光通信モジュールにより光信号に変換され電磁波ノイズを抑えながら絶縁伝送される方式が記載されている。
【０００９】
また従来の絶縁回路の第二例を図７に示す。これは、映像信号と同期信号とを同ビット数にて重畳し、絶縁伝送手段を一系統とすることを目的にするものである。具体的には、映像信号の所定の範囲（例えば“＆ｈ００〜＆ｈＦＦ”であれば“＆ｈＦ０〜＆ｈＦＦ”）を同期信号として定め、その信号を映像データに重畳することで伝送ラインの削減を行う（例えば特許文献２を参照）。
【特許文献１】特開２００６−５１１６２
【特許文献２】特開２００５−６６１２９
【発明の開示】
【発明が解決しようとする課題】
【００１０】
従来の絶縁回路の第一例（図６）の絶縁回路１では、映像信号伝送ライン（上段）と、同期信号伝送ライン（下段）との２系統の伝送ラインを必要とする。さらに、映像信号および同期信号は、それぞれの絶縁伝送手段によって電気的に絶縁伝送される必要がある。映像信号例えばＲ，Ｇ，Ｂ画像信号を絶縁伝送する場合、Ｒ，Ｇ，Ｂ画像信号それぞれに対応する絶縁伝送手段としてフォトカプラやパルストランスを必要とする。従ってビデオプロセッサ１２０内にそれぞれの絶縁伝送手段を配設することは、かなりの設置領域を必要とし、装置の大型化および複雑化を招くこととなる。
【００１１】
さらに特許文献１に記載の電子内視鏡では、パラレル／シリアル変換器によって１ビットのシリアル信号に変換されることによって、画像信号絶縁伝送のために必要とされるフォトカプラは一系統で足り、簡素な構成によって絶縁伝送手段を設けることができる。しかしながら、やはり同期信号伝送ラインは必要であり、画像信号絶縁伝送と同期信号伝送ラインとの２系統の伝送ラインを必要とする。
【００１２】
次に、従来の絶縁回路の第二例（図７）の絶縁回路２では、映像信号に同期信号を重畳することにより、絶縁伝送手段は一系統で済むが、映像信号に同期信号を同ビットにて重畳するため、その同期信号を重畳させる分だけ映像信号のダイナミックレンジを減少させる必要が生じ、それによって映像信号の再現性が悪くなる。
【００１３】
（発明の目的）
本発明は、同じビットで変換した映像信号および同期信号を重畳して伝送すると、映像信号のダイナミックレンジが減少してしまうという課題を解決することを目的とする。すなわち、絶縁伝送時には信号が交流化により冗長化されることに着目して、映像信号と同期信号とを異なるビット数ごとに変換して重畳することで映像信号のダイナミックレンジを維持しつつ、かつ変換なしに重畳された信号から同期信号を検出することができるようにしたものである。
【課題を解決するための手段】
【００１４】
（手段）
本発明に係る医療機器システムは、観察部位を撮像する撮像素子を有する医療機器システムであって、前記撮像素子によって生成された映像信号を所定のビット数ごとに交流化する第１の交流化手段と、前記第１の交流化手段とは異なるビット数ごとに同期信号を交流化する第２の交流化手段と、前記第１の交流化手段によって交流化された映像信号と、前記第２の交流化手段によって交流化された同期信号とを重畳された信号とする重畳手段と、前記重畳された信号を伝送する伝送手段と、前記伝送手段によって伝送された前記重畳された信号から前記同期信号を検出する同期信号検出手段とからなる映像信号伝送手段を具備することを特徴とする。
【００１５】
さらに前記伝送手段は、好ましくは無線、光伝送、静電誘導および電磁誘導のいずれかにより、前記重畳された信号を絶縁して伝送する絶縁伝送手段である。
【００１６】
また、さらに前記同期信号検出手段は、好ましくは前記第２の交流手段により前記映像信号とは異なるビット数で変換された信号を検出することにより、前記重畳信号を変換せずに前記同期信号を検出する。
【００１７】
また、さらに前記第１の交流手段によるビット毎に交流化するビット数は、好ましくは前記第２の交流手段によるビット数ごとに交流化するビット数よりも少ない。
【００１８】
（作用）
映像信号と同期信号とを異なるビット間隔で交流化することにより、映像信号と同期信号とを重畳した場合にもそれぞれ重複しない信号パターンを得られる。
【発明の効果】
【００１９】
本発明により、映像信号のダイナミックレンジを減少させることなく、同期信号を重畳させることができ、伝送用の絶縁伝送ライン数を減少させることができる。さらに同期検出信号回路もデータの変換なしに同期信号検出が可能となるため、大規模で複雑な回路を必要としない。
【発明を実施するための最良の形態】
【００２０】
（第１の実施の形態）
図１は、まず本発明に係る医療機器システムの映像信号伝送手段１０の映像信号の伝達部分について示したものである。図１に示すように映像信号例えば５ビット（図面上“５／”と記載、以下同じ）のデータ“１１１１１”は、このまま絶縁伝送手段例えばトランス２１にて伝送された場合、“１１１１１”等の直流成分が減衰カットされてしまう。すなわち絶縁伝送手段は、時間軸に対して一定の連続した信号（直流成分）が減衰を受けカットされてしまうため、一定の交流成分しか伝送できない。そのためデータは、交流化手段１１により交流化（冗長化）が行われ、例えば５ビットデータ“１１１１１”の各ビットデータ間に所定のビットデータ例えば“０”を挿入し１０ビット（図面上“１０／”と記載、以下同じ）データ“１０１０１０１０１０”に変換される。これにより映像信号は、交流化され、トランス２１を介して絶縁伝送されることができる。上記の交流化は、各ビットデータ間に所定のビットエータを挿入するものであり１ビット数ごとに交流化されるものを示した。しかし必ずしも１ビット数ごとに交流化を要するものではなく、２ビット数、３ビット数等ごとに所定のビットデータを挿入して交流化を行ってもよい。
【００２１】
また、上記の映像信号の交流化（冗長化）手段は、マンチェスター化手段を採用してもよい。マンチェスター化とは、“１”のデータを“０１”に、“０”のデータを“１０”とパターン化することである。周波数帯域は２倍必要であるが、“０”や“１”が続いても必ず１ビットごとにデータが変化してデータの区切り時間が伝送される。
【００２２】
映像信号は、例えばＲ，Ｇ，Ｂの３系統の信号であり、各信号について絶縁伝送するためには絶縁伝送手段例えばトランス２１が３基必要となる。これは装置の大型化および複雑化を招くこととなる。そのため、それぞれの信号は、パラレルシリアル変換手段１４によってシリアライズ（シリアル化）され１系統となる。シリアライズされた映像信号は、増幅器２０，２２を使用して絶縁伝送手段例えばトランス２１によって絶縁伝送される。
【００２３】
絶縁伝送手段により伝送された映像信号は、シリアルパラレル変換手段３０によってシリアライズ信号（シリアル化された信号）を再度パラレル信号例えばＲ，Ｇ，Ｂの映像信号にデシリアライズされる。すなわちデシリアライズとは、パラレル信号からシリアル化されたシリアライズ信号をそれぞれ元のパラレル信号に再変換する処理をいう。
【００２４】
デシリアライズ信号（すなわちそれぞれのパラレル信号）は、先に交流化された状態のビット数を有している。例えば５ビットデータ“１１１１１”は、交流化手段によって各ビットデータ間に所定のビットデータ例えば“０”を挿入され１０ビットデータ“１０１０１０１０１０”とされている。この交流化（冗長化）された信号では、データ量が増加したままであるため、挿入された所定のビットデータを削除する処理を必要とする。この処理を簡素化（コアリング）と称し、簡素化手段３２によってなされる。簡素化処理とは、具体的には５ビットデータ“１１１１１”の各ビットデータ間に所定のビットデータ例えば“０”を挿入された１０ビットデータ“１０１０１０１０１０”を、再度５ビットデータ“１１１１１”に変換することである。
【００２５】
図２は、本発明に係る医療機器システムの映像信号伝送手段において、同期信号重畳手段を含む映像信号伝送手段１０について示したものである。図１で説明した映像信号部分については、図１と同一部分は、同一部号を付して詳細な説明は省略する。
【００２６】
映像信号は、図１で示した交流化手段１１（第１の交流化手段１１という）にて交流化される。同期信号は、別の交流化手段である第２の交流化手段１３にて交流化される。同期信号が例えば５ビットデータ“１１１１１”の場合、上位空間に例えば“０００００”のデータを挿入し１０ビットデータ“０００００１１１１１”と変換される。すなわち同期信号は、５ビット数ごとに交流化される。映像信号の第１の交流化手段１１は、例えば１ビット数ごとに交流化がなされるのに対して、同期信号の第２の交流化手段は、その第１の交流化手段１１よりも高い５ビット数ごとに交流化されることにより、その信号の識別および重畳は容易になされる。すなわち、例えば１ビット数ごとの第１の交流化手段によって交流化された映像信号は、１ビット数ごとに所定の“０”信号が挿入されるためその交流化された映像信号には“１１１１１”等の連続した信号は現れることができない。これに対し、例えば５ビット数ごとの第２の交流化手段によって交流化された同期信号は、連続した信号である“０００００１１１１１”等となり、１ビット数ごとの第１の交流化手段によって交流化された映像信号である例えば“１０１０１０１０１０”信号は現れることがない。このようにビット数が異なる信号は、第１の交流化手段によって交流化された映像信号の中に第２の交流化手段によって交流化された同期信号が重畳されても容易に識別することができる。
【００２７】
好ましくは、第１の交流化手段によるビット数ごとに交流化するビット数は、第２の交流化手段によるビット数ごとに交流化するビット数よりも少ない。これは第１の交流化手段によって交流化される映像信号のデータ量は、第２の交流化手段によって交流化される同期信号のデータ量に較べて多量のデータ配列パターンを有することによる対応である。これにより映像信号のダイナミックレンジを減少させることなく、同期信号を重畳させることができる。
【００２８】
交流化された同期信号は、同期信号重畳手段１２によって交流化された映像信号に重畳される。重畳された信号は、パラレルシリアル変換手段１４によってシリアライズされ１系統となる。シリアライズされた映像信号は、トランス２１によって絶縁伝送されたのち、シリアルパラレル変換手段３０によって、シリアライズされた信号を再度パラレル信号の映像信号にデシリアライズされる。
【００２９】
デシリアライズされた信号は、同期信号検出手段３１によって同期信号が識別され分離される。この際、上で記載したように第１の交流化手段によって交流化された映像信号の中に第２の交流化手段によって交流化された同期信号が重畳されていても、第１の交流化手段によって交流化された映像信号のビット数と第２の交流化手段によって交流化された同期信号のビット数とが異なるので容易に重畳された同期信号を検出し分離することができる。すなわち重畳された信号を変換することなく同期信号を検出することができるのである。検出し分離された同期信号および映像信号は、映像信号処理回路１２４（図示せず）に入力され、外部機器１３０（図示せず）例えばモニタまたはディスプレイにて表示される。
【００３０】
（作用）
観察部位を撮像する撮像素子を有する医療機器システムは、映像信号伝送手段を具備する。映像信号伝送手段は、まず撮像素子によって生成された映像信号を第１の交流化手段によってビット数例えば１ビットごとに交流化する。また、この第１の交流化手段とは異なる第２の交流化手段によって同期信号を異なるビット数例えば５ビットごとに交流化する。次に前記第１の交流化手段によって交流化された映像信号と前記第２の交流化手段によって交流化された同期信号とを重畳手段によって重畳する。そして前記重畳された信号を伝送した後、同期信号検出手段によって前記重畳された信号から前記同期信号を検出する。
【００３１】
（効果）
本実施の形態を取ることにより、映像信号と同期信号とを伝送する場合、両方の信号をビット数がそれぞれ異なる交流化手段を用いて交流化することにより、両方の信号は、容易に重畳化されることができる。重畳化された信号は、シリアライズされ複数の系統を一系統とされることができる。これにより回路の大型化および複雑化を防ぐことができる。シリアライズされた信号は、絶縁伝送手段によって患者回路から二次回路に伝送されることができる。伝送されたシリアライズ信号は、映像化されるためにデシリアライズされ複数の系統に分離されることができる。デシリアライズされた信号の中から同期信号を容易に識別し、分離することができる。これはビット数がそれぞれ異なる交流化手段で映像信号と同期信号とが重畳されているためである。
【００３２】
（第２の実施の形態）
患者を安全に処置するための患者回路と二次回路との絶縁構成は、映像信号処理回路１２４の前段にイメージセンサーからの映像信号を絶縁伝送する絶縁回路を構成して、患者回路と二次回路との絶縁構成を保っている。第１の実施の形態では、絶縁伝送手段は、トランス２１のような電磁誘導の手段を採用している。しかし絶縁伝送手段は、トランス２１のような電磁誘導の手段に限られず、無線、光伝送、および静電誘導のいずれかの手段であってもよい。絶縁伝送手段を無線とした場合の例を図３に示す。図３は、カプセル内視鏡筐体５０に映像信号送信機２１ａを組み込み、患者から離隔して設置された外部の二次回路６０に映像信号受信機２１ｂを設けた例を示す。カプセル内視鏡とは、観察部位を撮像する撮像素子を有する医療機器システムの一種であって、生体内の観察部位を撮像・検査等するカプセル状に形成された小型の内視鏡である。カプセル内視鏡は、回路基板等を水密に内蔵する筐体５０を有し、その筐体５０は、撮像素子であるイメージセンサー前面に対物レンズを有し、この対物レンズ前方を覆う略半球状の透明カバー（図示せず）と、後方を覆い後端部が半球状を成す筒状カバーとからなり、透明カバーと筒状カバーとを水密に接着して構成されたものである。
【００３３】
カプセル内視鏡筐体５０内において、その先端部にはイメージセンサー制御部５３を配し、このイメージセンサー制御部５３の前面に対物レンズを有するイメージセンサー１１２と、光源５２とを配設している。イメージセンサー制御部５３内には、図示しないがＡＦＥ１２１、Ａ／Ｄ回路１２２、ＴＧ１２５，イメージセンサー駆動回路１２６，光源制御部、および電池部等を具備している。Ａ／Ｄ回路から伝送された映像信号は、第１の交流化手段１１によって交流化される。同期信号および駆動信号は、ＴＧ１２５によって生成される。生成された同期信号は、第２の交流化手段１３によって交流化される。生成された駆動信号は、イメージセンサー駆動回路１２６に伝送される。
【００３４】
それぞれ交流化された映像信号および同期信号は、同期信号重畳手段１２によって重畳されパラレルシリアル変換手段１４を介しシリアライズされる。シリアライズされた信号は増幅器２０によって増幅され映像信号送信機２１ａによって外部に無線送信される。
【００３５】
無線送信された信号は、患者から離隔されて設置された外部二次回路６０の映像信号受信機２１ｂにて受信される。この無線の送受信は、絶縁伝送を実現することができる。
【００３６】
受信された信号は、外部二次回路６０の増幅器２２で増幅された後、シリアルパラレル変換手段３０を介してデシリアライズされる。デシリアライズされた信号は、同期信号検出手段３１によって同期信号が識別され分離される。この際、上で記載したように第１の交流化手段によって交流化された映像信号の中に第２の交流化手段によって交流化された同期信号が重畳されていても、第１の交流化手段によって交流化された映像信号のビット数と第２の交流化手段によって交流化された同期信号のビット数とが異なるので、容易に重畳された同期信号を検出し分離することができる。分離された同期信号、および映像信号は、映像信号処理回路１２４（図示せず）に入力され、外部機器１３０（図示せず）例えばモニタまたはディスプレイにて表示される。
【００３７】
（作用）
患者回路は、カプセル内視鏡筐体５０内に配設される。カプセル内視鏡のイメージセンサー１１２で撮像された観察部位の映像は、映像信号として所定のビット数ごとに交流化され、同時にＴＧによって生成された同期信号も異なるビット数ごとに交流化される。それぞれ交流化された映像信号と同期信号とは、重畳手段によって重畳される。そして前記重畳された信号は、無線送信され、患者から離隔して設置された外部二次回路６０の映像信号受信機２１ｂにて受信される。この無線の送受信によって、絶縁伝送が実現される。
【００３８】
（効果）
患者回路と二次回路との間の信号の伝送を無線による送受信によって行うことにより、完全に絶縁伝送を実現できる。これにより患者を安全に処置することができる。
【００３９】
（第３の実施の形態）
図４は、絶縁伝送手段を光伝送例えばフォトカプラ２１’とした例を示す。光伝送手段としてのフォトカプラ２１’は、電気信号／光信号変換器（Ｅｌｅｃｔｒｉｃ  Ｏｐｔｉｃ  Ｃｏｎｖｅｒｔｅｒ、以下単にＥ／Ｏ変換器と称する）および光信号／電気信号変換器（Ｏｐｔｉｃ  Ｅｌｅｃｔｒｉｃ  Ｃｏｎｖｅｒｔｅｒ、以下単にＯ／Ｅ変換器と称する）をモジュール内に組み込まれて使用される。
【００４０】
映像信号および同期信号は、それぞれ第１の交流化手段および第２の交流化手段によって異なるビット数ごとに交流化される。それぞれ交流化された映像信号および同期信号は、同期信号重畳手段１２によって重畳されパラレルシリアル変換手段１４を介しシリアライズされる。シリアライズされた電気信号は、増幅器２０によって増幅され、Ｅ／Ｏ変換器によって光信号に変換され送信される。このＥ／Ｏ変換器に隣接して配置されたＯ／Ｅ変換器によってこの送信された光信号が電気信号に再度変換される。
【００４１】
電気信号に変換された信号は、シリアルパラレル変換手段３０によって、シリアライズされた信号を再度パラレル信号の映像信号にデシリアライズされる。
【００４２】
デシリアライズされた信号は、同期信号検出手段３１によって同期信号が識別され分離される。この際、上で記載したように第１の交流化手段によって交流化された映像信号の中に第２の交流化手段によって交流化された同期信号が重畳されていても、第１の交流化手段によって交流化された映像信号のビット数と第２の交流化手段によって交流化された同期信号のビット数とが異なるので容易に重畳された同期信号を検出し分離することができる。分離された同期信号および映像信号は、映像信号処理回路１２４（図示せず）に入力され、外部機器１３０（図示せず）例えばモニタまたはディスプレイにて表示される。
【００４３】
また絶縁伝送手段を静電誘電した例として、静電誘導型素子を使用することもできる。
【００４４】
（効果）
患者回路と二次回路との間の信号の伝送を光伝送によって行うことにより、完全に絶縁伝送を実現できる。これにより患者を安全に処置することができる。
【図面の簡単な説明】
【００４５】
【図１】本発明に係る医療機器システムの映像信号伝送手段の映像信号部分を示す図である。
【図２】本発明に係る医療機器システムの映像信号伝送手段を示す図である。
【図３】本発明に係る医療機器システムの無線伝送を使用した映像信号伝送手段を示す図である。
【図４】本発明に係る医療機器システムの光伝送を使用した映像信号伝送手段を示す図である。
【図５】電子内視鏡の概要を示す図である。
【図６】従来の映像信号絶縁伝送回路の第一例を示す図である。
【図７】従来の映像信号絶縁伝送回路の第２例を示す図である。
【符号の説明】
【００４６】
１０…映像信号伝送手段、１１…第１の交流化手段、１２…同期信号重畳手段、１３…第２の交流化手段、１４…パラレルシリアル変換手段、２０…増幅器、２１…トランス、２１’…フォトカプラ、２１ａ…映像信号送信機、２１ｂ…映像信号受信機、２２…増幅器、３０…シリアルパラレル変換手段、３１…同期信号検出手段、３２…簡素化手段、５０…カプセル内視鏡筐体、５２…光源、５３…イメージセンサー制御部、６０…外部二次回路、１００…電子内視鏡装置、１１０…スコープ、１１１…挿入部、１１２…イメージセンサー、１２０…ビデオプロセッサ、１２１…ＡＦＥ（アナログフロントエンド）、１２２…Ａ／Ｄ回路、１２３…絶縁回路、１２４…映像信号処理回路、１２５…タイミングジェネレータ、１２６…イメージセンサー駆動回路、１３０…外部機器。
【図１】
2010119461.tif 000003
【図２】
2010119461.tif 000004
【図３】
2010119461.tif 000005
【図４】
2010119461.tif 000006
【図５】
2010119461.tif 000007
【図６】
2010119461.tif 000008
【図７】
2010119461.tif 000009